(57)【特許請求の範囲】
【請求項１】
外枠と前枠の一側縁を開閉自在に蝶着する上下二組の蝶着体からなり、
両蝶着体は、外枠に止着する上固定部材及び下固定部材と、前枠に止着する上回動部材及び下回動部材とを有し、
上記上固定部材に対応する上回動部材には、第１回動支軸を突設し、
上記下固定部材には第２回動支軸を形成すると共に、対応する下回動部材には軸孔を形成し、
上記上固定部材を形成する上面板には上記第１回動支軸を誘導するために前縁に向けて開口する受入溝を設け、嵌着孔を開設し上下方向に弾性を有した板バネからなる弾着部材の基端側を、上記受入溝を覆うように止着手段により上記上面板に取り付け、
上記下固定部材の第２回動支軸を上記下回動部材の軸孔に挿入し、上記弾着部材の弾性に抗して、上記上回動部材の第１回動支軸を上記受入溝に押し込むことにより、上記第１回動支軸を上記受入溝の奥部に位置する上記嵌着孔に嵌合させて回動自在に蝶着することを特徴とするパチンコ機の蝶着装置。
【請求項２】
弾着部材の嵌着孔の縁部に、第１回動支軸が係止可能な切起係止片を設けた請求項１に記載したパチンコ機の蝶着装置。
【発明の詳細な説明】
【０００１】
【産業上の利用分野】
この発明は、パチンコ機の外枠に対して前枠を着脱自在に且つ回動自在に軸着するパチンコ機の蝶着装置に関するものである。
【０００２】
【従来の技術】
パチンコ機は、外枠と呼ばれる矩形の枠体の一側に、遊技盤や機構枠等を取り付けた前枠と呼ばれる板状部材の一側を蝶着装置を介して着脱自在且つ回動自在に軸着してある。
そして、この蝶着装置は、外枠と前枠の一側縁を開閉自在に蝶着する上下二組の蝶着体からなり、上蝶着体は上部固定部材に設けた軸受部に、上部回動部材に下向きに設けたピンを軸着し、また下蝶着体は下部固定部材に上向きに設けたピンを、下部回動部材に設けた軸受孔に軸着することにより、これらのピンを支点に前枠を外枠に対して開閉自在に構成している（例えば、実開昭６４−２０８８８号公報）。
【０００３】
【発明が解決しようとする課題】
しかしながら、上記した従来の蝶着装置は、上下のピンをほゞ同時に軸受部及び軸受孔に挿着しなければならず、また軸受部の孔が作業中見難いので、組付作業が困難であった。しかも、前枠には遊技盤や機構枠等が取り付けられているのでかなりの重量になっており、これを持ち上げながら組付作業を行うのは、辛い仕事であった。
一方、従来の蝶着装置では、前枠を外すときには上記とは逆に重い前枠を持ち上げなければならないので、やはり辛い作業であった。
本発明は上記に鑑み提案されたもので、組付作業が極めて容易であると共に、取り外しも極めて容易なパチンコ機の蝶着装置を提供することを目的とする。
【０００４】
【課題を解決するための手段】
上記目的を達成するため本発明は、外枠と前枠の一側縁を開閉自在に蝶着する上下二組の蝶着体からなり、両蝶着体は、外枠に止着する上固定部材及び下固定部材と、前枠に止着する上回動部材及び下回動部材とを有し、上記上固定部材に対応する上回動部材には、第１回動支軸を突設し、上記下固定部材には第２回動支軸を形成すると共に、対応する下回動部材には軸孔を形成し、上記上固定部材を形成する上面板には上記第１回動支軸を誘導するために前縁に向けて開口する受入溝を設け、嵌着孔を開設し上下方向に弾性を有した板バネからなる弾着部材の基端側を、上記受入溝を覆うように止着手段により上記上面板に取り付け、上記下固定部材の第２回動支軸を上記下回動部材の軸孔に挿入し、上記弾着部材の弾性に抗して、上記上回動部材の第１回動支軸を上記受入溝に押し込むことにより、上記第１回動支軸を上記受入溝の奥部に位置する上記嵌着孔に嵌合させて回動自在に蝶着するようにしたものである。
【０００５】
【作用】
上固定部材に形成した受入溝によって、上回動部材に形成した回動支軸を弾着部材に開設した嵌着孔に誘導して嵌合させることができ、固定部材と回動部材とを回動自在に軸着し、弾着部材の弾性変形によって回動支軸を着脱自在とすることができる。
【０００６】
【実施例】
以下、本発明を図示の一実施例について説明すると、図１はパチンコ機１の正面図、図２は前枠２の正面図及び右側面図、図３は外枠３の正面図である。
【０００７】
パチンコ機１は、窓部を有した額縁状の前枠２の一側を外枠３に対して蝶着装置４を介して開閉可能に蝶着し、上記窓部の上方部分にはガラスを装着したガラス枠ユニット５を開閉可能に軸着し、上記前枠２及びガラス枠ユニット５を施錠装置６で施錠可能にする。また、ガラス枠ユニット５の下方部分には上皿７１等を設けた上受皿ユニット７を設け、前枠２の下方部分には下皿８１や打球の飛距離を調整する操作ハンドル８２等を設けた下受皿ユニット８を設ける。また、上記前枠２の窓部には遊技盤（図示せず）を後方から臨ませる。尚、上記下受皿ユニット８の前面部分は、例えば合成樹脂等によって形成された前枠下カバー８３によって覆われている。
【０００８】
上記前枠２は例えば合成樹脂によって形成され、前枠基板２１、ガラス枠ユニット５、上受皿ユニット７、下受皿ユニット８、及び機構枠１０等を主な構成要素としている。
【０００９】
一方、上記外枠３は、図３に示すように、所定の大きさの木板からなる上横枠３１ａと左縦枠３１ｂと下横枠３１ｃと右横枠３１ｄとを、矩形に枠組して構成する。また、下横枠３１ｃの上面には下横桟部材３２を横架してある。そして、上記上横枠３１ａと左縦枠３１ｂとを接合する上側左側縁部分には上蝶着体４０を構成すると共に補強部材を兼ねる上固定部材４０ａを設ける。尚、上記下横桟部材３２の前面には、例えば合成樹脂等によって形成した外枠下カバー３５が添設してある。
【００１０】
一方、左縦枠３１ｂと下横桟部材３２とが衝接する部分には、下蝶着体４１を構成する下固定部材４１ａを設ける。また、上横枠３１ａと右縦枠３１ｄが衝接する部分の内側、右縦枠３１ｄと下横枠３１ｃが衝接する部分の内側、及び左縦枠３１ｂと下横枠３１ｃが衝接する部分の内側には、夫々補強金具３３を設ける。また、各枠材３１ａ，３１ｂ，３１ｃ，３１ｄを互いに接続する部分には、ダボ３４が埋め込んである。
【００１１】
本発明に係る蝶着装置４は、上記したように前枠２を外枠３に対して開閉可能に蝶着するためのものであって、その概略は、外枠３と前枠２の一側縁を開閉自在に蝶着する上下２組の蝶着体４０，４１からなり、両蝶着体４０，４１は、外枠３に止着する上固定部材４０ａ及び下固定部材４１ａと、前枠２に止着する上回動部材４０ｂ及び下回動部材４１ｂとを有する。また、上下の蝶着体４０，４１の何れか一方の固定部材、例えば図示の実施例では上固定部材４０ａに、後述する嵌着孔９１を有する弾着部材９を設けている。また、この上固定部材４０ａに対応する上回動部材４０ｂには、上記嵌着孔９１に嵌入可能な第１回動支軸として上回動支軸４３を突設している。そして、上記上固定部材４０ａまたは弾着部材９には、上回動支軸４３を嵌着孔９１へ誘導するために、後述する誘導手段を形成する。尚、上回動支軸４３の上部は、テーパー面４３ａが形成され、弾着部材９の先端部分及び嵌着孔９１に誘導し易くなっている。
【００１２】
一方、他方の下蝶着体４１は、下固定部材４１ａと下回動部材４１ｂとからなり、下固定部材４１ａには第２回動支軸として下回動支軸４１２を突設し、下回動部材４１ｂには下軸孔４１１が開設してある。そして、上記上回動支軸４３を嵌着孔９１で軸支すると共に、下回動支軸４１２を下軸孔４１１で軸支することにより回動自在に構成するものである。
【００１３】
次に、蝶着装置４の詳細を説明すると、上蝶着体４０は、木材を矩形に枠組してなる外枠３の上横枠３１ａと左縦枠３１ｂとが接合される上側左側縁部分に止着する上固定部材４０ａと、前枠２の上側左側縁に止着する上回動部材４０ｂとからなる。
【００１４】
上記上固定部材４０ａは、ほゞＬ字状に屈曲する金属製の部材であって、上面板が外枠３の前縁よりも延出している。この上面板の前縁には、図示の実施例によれば、後述する前枠２に設けた上回動支軸４３を受け入れて当該上回動支軸４３を弾着部材９の嵌着孔９１へ誘導するための誘導手段として、前縁に向けて開口するほゞＵ字状の受入溝４０１を設ける。そして、この受入溝４０１を覆うように、厚さ方向に弾性を有する板材、例えば板バネからなる弾着部材９の基端側をビス９２、或はリベット等の止着手段により上固定部材４０ａの上面板に取り付ける。尚、図６では、弾着部材９の一部を欠截して上記受入溝４０１を表している。
【００１５】
上記した弾着部材９は、例えば図１０に示すように、板状の部材であって、同図（Ｂ）において上下方向に弾性を有している。換言すると、上下方向に弾性変形可能である。また、この弾着部材９には、上回動支軸４３の先端部分が嵌入可能な嵌着孔９１が開設してある。更に、図において左側縁付近には、弾着部材９を上固定部材４０ａに取り付けるための取付孔９３が開設してあり、上記ビス９２を挿通する。一方、右側縁には、先端部分を例えば約３０度程度の角度で上向きに屈曲させて、案内片９４を形成している。尚、上記弾着部材９を上固定部材４０ａに取り付けた状態では、嵌着孔９１は前記した誘導手段としての受入溝４０１の奥部に位置する。
【００１６】
一方、前枠２の上端面に止着する上回動部材４０ｂは、前枠２の前端よりも延出した位置に、上回動支軸４３が突設してある。また、図示の実施例では、ガラス枠ユニット５を軸着するためのスライドピン（図示せず）を挿通する通孔４０２が開設してある（図７（Ａ）参照）。
【００１７】
また、下蝶着体４１は、前枠２の左側下部に止着する下回動部材４１ｂと、外枠３の左側下部に止着する下固定部材４１ａとからなり、下回動部材４１ｂには下固定部材４１ａの下回動支軸４１２を挿通する下軸孔４１１が開設してある。尚、この下軸孔４１１は、上記下回動支軸４１２を挿通し易くするためのテーパー４１１Ａが形成されている（図４参照）。
【００１８】
次に、上記のように構成した本実施例の蝶着装置４による前枠２の外枠３に対する組付及びその作用を、図７ないし図９及び他の図面を適宜参照しながら説明する。尚、これらの図面では、前枠２や外枠３の図示を省略しているが、両枠体に取り付けられたものとして説明する。
【００１９】
組付作業は極めて容易であって手順を追って説明すると、先ず、前枠２を外枠３の前方に、即ち図７に示すように、上固定部材４０ａの前方に上回動部材４０ｂを位置させる。
【００２０】
次に、下固定部材４１ａの下回動支軸４１２を、下回動部材４１ｂの下軸孔４１１に挿通すると共に、上回動部材４０ｂの上回動支軸４３を上固定部材４０ａの受入溝４０１に臨ませると共に、上回動支軸４３の上端を弾着部材９の案内片９４に当接させる。そして、前枠２を矢印Ｘ方向に移動させて、上回動支軸４３を受入溝４０１内に押し込む。
【００２１】
すると、弾着部材９の案内片９４を上回動支軸４３の上端が押し上げるので、弾着部材９が持ち上げられて弾性変形する（図８参照）。
【００２２】
そして、更に前枠２を矢印Ｘ方向に移動させると、上回動支軸４３が誘導手段として上固定部材４０ａに設けた受入溝４０１の奥まで受け入れられると共に、上回動支軸４３の先端が弾着部材９の嵌着孔９１に嵌入し、弾着部材９が元の状態に戻って当該上回動支軸４３の先端付近が嵌着孔９１に嵌合した状態となる。即ち、上回動支軸４３が回動自在に軸着され、前枠２が外枠３に対して回動自在に蝶着された状態となる。
【００２３】
上記のような状態では前枠２の開閉が自在である。また、上回動支軸４３が弾着部材９の嵌着孔９１に嵌合し、しかも前枠２に設けた上回動部材４０ｂの上面側に外枠３に設けた上固定部材４０ａが位置しているので、前枠２を持ち上げることができずに、前枠２が外れる恐れがない。
【００２４】
一方、案内片９４に指を掛けるなどして弾着部材９を上方に変形させると、嵌着孔９から上回動支軸４３が簡単に抜けるので、この状態で前枠２を手前に引き出すようにすれば、上固定部材４０ａの受入溝４０１から上回動支軸４３を離脱させることができ、上固定部材４０ａから上回動部材４０ｂを外すことができる。
【００２５】
上記のような構成の本実施例によれば、下固定部材４１ａの下回動支軸４１２を下回動部材４１ｂの下軸孔４１１に挿入した状態で、上回動支軸４３を上固定部材４０ａの受入溝４０１に挿入することができ、前枠２を持ち上げて上下の回動支軸４３，４１２をほゞ同時に軸孔に挿入する必要がなく、組付作業が極めて容易である。
【００２６】
一方、離脱も極めて容易であって、弾着部材９を上方へ弾性変形させた状態で、前枠２を単に手前へ若干引き出せばよい。従って、従来のように重い前枠２を上方へ持ち上げる必要がないし、蝶着された状態では持ち上げることができないので、遊技中に誤って前枠２が外れる恐れがなく安全性が極めて高い。
【００２７】
また、本発明に係る蝶着装置４は、誘導手段を弾着部材９側に形成することもできる。即ち、図１１に示すように、弾着部材９の先端側の両側縁部分を斜めに屈曲させて一対の屈曲片９５を形成するのである。この屈曲片９５は、開口した先端側の幅が広く、弾着部材９の厚み方向下側へ若干突出している。従って、このような構成の弾着部材９を、取付孔９３に通したビス９２で上固定部材４０ａに取り付けるときは、前記した実施例のように上固定部材４０ａに受入溝４０１が形成されていなくても、上回動部材４０ｂの上回動支軸４３を一対の屈曲片９５によって嵌着孔９１の方向に誘導することができる。
【００２８】
即ち、上回動部材４０ｂの上回動支軸４３を、上固定部材４０ａに取り付けた弾着部材９の先端側に誘導手段として形成した左右の屈曲片９５の前方に臨ませ、矢印Ｘ方向に移動させる。すると、上回動支軸４３の上端が案内片９４の下面に当接して弾着部材９が上方に弾性変形して上回動支軸４３を受け入れる。このとき、上回動支軸４３が左右にずれると、屈曲片９５に当接するので修正されて嵌着孔９１へ誘導され、上回動支軸４３が嵌着孔９１に嵌入する。
【００２９】
そして、上回動支軸４３が弾着部材９の嵌着孔９１に嵌合した状態では、前記実施例と同様に、上固定部材４０ａと上回動部材４０ｂとで上蝶着体４０を回動自在に構成することができる。一方、上回動支軸４３を弾着部材９から外す場合には、弾着部材９の案内片９４に指を掛けるなどして当該弾着部材９を上方へ弾性変形させた状態で、上固定部材４０ａ即ち前枠２を若干手前へ引き出せば、上回動支軸４３を嵌着孔９１から外すことができる。
【００３０】
この実施例によれば、前記した実施例と同様に、前枠２の着脱が容易であると共に、蝶着装置４の構成を更に簡略化することができ、実用的価値が極めて高い。
【００３１】
更に本発明は、図１２に示すような弾着部材９を適用することもできる。この実施例における弾着部材９は、当該弾着部材９の下面側に、上固定部材４０ａの受入溝４０１内に位置する切起係止片９６を形成している。そして、この切起係止片９６に上回動部材４０ｂに設けた上回動支軸４３が係止して、当該上回動部材４０ｂ、即ち前枠２を回動自在に軸着するように構成してある。
【００３２】
この実施例における弾着部材９も前記した各実施例と同様に弾性を有する板状の部材である。また、この弾着部材９には、上回動支軸４３の先端部分が嵌入可能な嵌着孔９１が開設してあり、図において左側縁付近には、弾着部材９を上固定部材４０ａに取り付けるための取付孔９３が開設してあり、ビス９２或はリベット等を挿通して固定する。一方、右側縁には、円弧状に形成した操作部９７が形成してある。尚、上記弾着部材９を上固定部材４０ａに取り付けた状態では、嵌着孔９１は受入溝４０１の奥部に位置すると共に、切起係止片９６が受入溝４０１の入口付近に位置して、上固定部材４０ａの上面側が平坦になるように構成してある。また、上記操作部９７が上固定部材４０ａの外縁から若干延出して指を掛け易いように形成してある。
【００３３】
尚、この実施例における弾着部材９では、上記切起係止片９６の係止縁９６ａが直線的に形成してあるが、円弧状に形成してもよい。また、上記嵌着孔９１の大きさは上回動支軸４３が丁度嵌入するように当該上回動支軸４３の直径とほゞ等しい。
【００３４】
上記のように形成した弾着部材９を用いた蝶着装置４による前枠２の外枠３に対する着脱は、前記した実施例と同様にして行うことができ、着脱操作が極めて容易である。尚、図１３では、前枠２や外枠３の図示を一部省略しているが、上固定部材４０ａ及び上回動部材４０ｂは両枠体に取り付けられたものとして説明する。即ち、外枠３には、皿孔によって形成した止着孔４０８に通した皿ネジ（図示せず）を螺着することによって上固定部材４０ａが取り付けてある。一方、前枠２には上回動部材４０ｂが止着孔４０９に通したネジによって取り付けてある。
【００３５】
先ず、前枠２を外枠３に装着するには、前記実施例と同様に、下固定部材４１ａの下回動支軸４１２を、下回動部材４１ｂの下軸孔４１１に挿通すると共に、上回動部材４０ｂの上回動支軸４３を上固定部材４０ａの受入溝４０１に臨ませる（図１３（Ｂ）参照）。そして、矢印Ｘ方向に上回動部材４０ｂを押し込むと、切起係止片９６と上回動支軸４３とが当接するので、弾着部材９が一旦上方へ弾性変形して上回動支軸４３の通過を許容した後、元の状態に復帰するので上回動支軸４３が嵌着孔９１内に嵌入して、上回動支軸４３の上端付近が切起係止片９６の係止縁９６ａに係止して、前枠２が外枠３に対して回動自在に蝶着された状態となる（図１３（Ｃ）参照）。尚、図１３に示す実施例では、前枠２（上回動部材４０ｂ）がほゞ９０度開いた状態で装着する場合を示しているが、前記した実施例のように上回動部材４０ｂを閉じた状態で装着することもできる。
【００３６】
一方、前枠２を外枠３から外す場合には、弾着部材９の操作部９７に指を掛けるなどして当該弾着部材９を上方に若干引き上げて切起係止片９６と上回動支軸４３との係止を解いて前枠２を引き出すようにすれば、上回動部材４０ｂ（前枠２）を上固定部材４０ａ（外枠３）から外すことができる。
【００３７】
このような実施例によれば、上回動部材４０ｂ（前枠２）の上回動支軸４３が弾着部材９から突出しないと共に、弾着部材９にも上側に向いた突出部分がなくなる。従って、突出部分が皆無となるので、組立作業員や遊技店の店員、或は遊技者等の指や身体が触れて誤作動を起こさないばかりではなく、怪我をすることがなく、安全性が極めて高い蝶着装置を提供可能である。
【００３８】
以上本発明を図面の実施例について説明したが、本発明は上記した実施例に限定されるものではなく、特許請求の範囲に記載した構成を変更しない限り適宜に実施できる。例えば、図示の実施例においては、上蝶着体の固定部材に弾着部材を設けているが、下固定部材に弾着部材を設けるようにしてもよい。
【００３９】
【発明の効果】
以上要するに本発明は、外枠と前枠の一側縁を開閉自在に蝶着する上下二組の蝶着体からなり、両蝶着体は、外枠に止着する上固定部材及び下固定部材と、前枠に止着する上回動部材及び下回動部材とを有し、上記上固定部材に対応する上回動部材には、第１回動支軸を突設し、上記下固定部材には第２回動支軸を形成すると共に、対応する下回動部材には軸孔を形成し、上記上固定部材を形成する上面板には上記第１回動支軸を誘導するために前縁に向けて開口する受入溝を設け、嵌着孔を開設し上下方向に弾性を有した板バネからなる弾着部材の基端側を、上記受入溝を覆うように止着手段により上記上面板に取り付け、上記下固定部材の第２回動支軸を上記下回動部材の軸孔に挿入し、上記弾着部材の弾性に抗して、上記上回動部材の第１回動支軸を上記受入溝に押し込むことにより、上記第１回動支軸を上記受入溝の奥部に位置する上記嵌着孔に嵌合させて回動自在に蝶着するようにしたので、下方の固定部材の第２回動支軸を回動部材の軸孔に挿入した状態で、上方の第１回動支軸を受入溝によって弾着部材の嵌着孔へ誘導することができると共に、嵌着孔に嵌合させて回動自在に軸支することができる。従って、従来の蝶着装置のように上下の第１回動支軸及び第２回動支軸をほゞ同時に軸孔に挿入する必要がなく、組付作業が極めて容易であって作業能率が著しく向上する。しかも、蝶着された通常の状態では第１回動支軸が嵌着孔から離脱することがない。一方、第１回動支軸を離脱させることも極めて容易であって、弾着部材を弾性変形させた状態で、前枠を手前へ若干引き出せばよく、取り外し作業も能率良く行うことができる。そして、従来の蝶着装置のように重い前枠を上方へ持ち上げる必要がなく、しかも弾着部材を変形させないと回動支軸が離脱しないので、誤って外枠から前枠が外れる恐れがない。また、弾着部材を突出部分がないように形成すれば、指や身体が触れても怪我をすることがないので、外枠が誤って外れないことと相俟って安全性が極めて高い。
【図面の簡単な説明】
【図１】パチンコ機の正面図である。
【図２】前枠の正面図及び右側面図である。
【図３】外枠の正面図である。
【図４】外枠及び前枠の左側面図である。
【図５】外枠及び前枠の平面図である。
【図６】上固定部材の平面図である。
【図７】上固定部材と上回動部材の組付法の第１説明図であって、（Ａ）は平面図、（Ｂ）は側面図である。
【図８】上固定部材と上回動部材の組付法の第２説明図であって、（Ａ）は平面図、（Ｂ）は側面図、（Ｃ）はＣ部の拡大図である。
【図９】上固定部材と上回動部材の組付法の第３説明図であって、（Ａ）は平面図、（Ｂ）は側面図である。
【図１０】弾着部材を示し、（Ａ）は平面図、（Ｂ）は側面図である。
【図１１】弾着部材の他の実施例を示し、（Ａ）は斜視図、（Ｂ）は平面図、（Ｃ）は側面図である。
【図１２】弾着部材の更に他の実施例を示し、（Ａ）は平面図、（Ｂ）は同図（Ａ）のＢ−Ｂ線における断面図である。
【図１３】上記弾着部材を用いた更に他の実施例による上固定部材と上回動部材の組付状態の説明図であり、（Ａ）は組み付ける前、（Ｂ）は上回動支軸を嵌着孔に挿入する直前、（Ｃ）は上回動支軸を嵌着孔に挿入した状態を示す。
【符号の説明】
１  パチンコ機
２  前枠
３  外枠
４  蝶着装置
９  弾着部材
４０  上蝶着体
４０ａ  上固定部材
４０ｂ  上回動部材
４１  下蝶着体
４１ａ  下回動部材
４１ｂ  下回動部材
４１１  下軸孔
４１２  第２回動支軸としての下回動支軸
４０１  誘導手段としての受入溝
４３  第１回動支軸としての上回動支軸
９１  嵌着孔
９４  案内片
９５  誘導手段としての屈曲片
９６  切起係止片
９７  操作部
【図１】
0003600651.tif 000002
【図２】
0003600651.tif 000003
【図３】
0003600651.tif 000004
【図４】
0003600651.tif 000005
【図５】
0003600651.tif 000006
【図６】
0003600651.tif 000007
【図７】
0003600651.tif 000008
【図８】
0003600651.tif 000009
【図９】
0003600651.tif 000010
【図１０】
0003600651.tif 000011
【図１１】
0003600651.tif 000012
【図１２】
0003600651.tif 000013
【図１３】
0003600651.tif 000014